(57)【特許請求の範囲】
【請求項１】
波長が４０５ｎｍの光に対して所定の吸収率を有する有機色素を記録層に用いた光情報記録媒体に、前記４０５ｎｍの波長を含む近傍範囲波長のレーザを照射することにより記録マークとスペースを形成して情報を記録する光情報記録装置において、
前記記録マークを形成するためのライトパワーと、前記ライトパワーよりパワー値が低く前記スペースを形成するためのスペース形成パワーと、前記記録マーク形成時のラストパルスの直後に出力され且つ前記スペース形成パワーよりパワー値が低いクーリングパルスのパルス幅とをそれぞれ設定する設定手段と、
前記設定手段に従って、前記光情報記録媒体に情報を記録する手段と、
を有し、
前記クーリングパルスのパルス幅と、前記ライトパワーを分母とし前記スペース形成パワーを分子とした比率とは、当該比率を一方の座標軸とし、前記クーリングパルスのパルス幅を他方の座標軸とする直角座標の平面において、予め測定された良好な領域から決定されるものである
ことを特徴とする光情報記録装置。
【請求項２】
前記クーリングパルスのパルス幅と、前記ライトパワーを分母とし前記スペース形成パワーを分子とした比率とは、当該比率を一方の座標軸とし、前記クーリングパルスのパルス幅を他方の座標軸とする直角座標の平面において、前記良好な領域の範囲におけるいずれか一方の座標軸の数値を固定し、前記良好な領域の範囲における他方の座標軸の複数個所のテスト記録をした結果に基づいて数値を決定されるものである
請求項１記載の光情報記録装置。
【請求項３】
前記良好な領域は、二倍速で記録する場合に、
前記直角座標の平面において、前記比率と前記クーリングパルスのパルス幅との値が（０．２，１．９３７５Ｔ）、（０．２，１．５Ｔ）、（０．３，１．１２５Ｔ）および（０．３，０．８７５Ｔ）（但しＴは、基準クロックの周期を表す）である各点間を直線で結んだ範囲である
請求項１または２記載の光情報記録装置。
【請求項４】
波長が４０５ｎｍの光に対して所定の吸収率を有する有機色素を記録層に用いた光情報記録媒体に、前記４０５ｎｍの波長を含む近傍範囲波長のレーザを照射することにより記録マークとスペースを形成して情報を記録する光情報記録装置において、
前記記録マークを形成するためのライトパワーを分母とし前記ライトパワーよりパワー値が低く前記スペースを形成するためのスペース形成パワーを分子とした比率を一方の座標軸とし、前記記録マーク形成時のラストパルスの直後に出力され且つ前記スペース形成パワーよりパワー値が低いクーリングパルスのパルス幅を他方の座標軸とする直角座標の平面において、前記比率の好ましい範囲と、前記クーリングパルスのパルス幅の好ましい範囲とで得られる良好な領域を、当該良好な範囲が予め記録された記録源から取得する取得手段と、
前記ライトパワーの値と、前記クーリングパルスのパルス幅の範囲に含まれるパルス幅の値とを、前記光情報記録媒体のテスト記録領域で複数個所のテスト記録した結果に基づき最適化する手段と、
前記ライトパワーの最適値と、当該ライトパワーの最適値と前記比率とから得られる前記スペース形成パワーの値と、前記クーリングパルスのパルス幅の最適値とを設定する設定手段と、
前記設定手段に従って、前記光情報記録媒体に情報を記録する手段と、
を有する光情報記録装置。
【請求項５】
前記良好な領域は、二倍速で記録する場合に、
前記直角座標の平面において、前記比率と前記クーリングパルスのパルス幅との値が（０．２，１．９３７５Ｔ）、（０．２，１．５Ｔ）、（０．３，１．１２５Ｔ）および（０．３，０．８７５Ｔ）（但しＴは、基準クロックの周期を表す）である各点間を直線で結んだ範囲である
請求項４記載の光情報記録装置。
【請求項６】
前記良好な領域の取得手段は、前記光情報記録装置の記録源であるメモリまたは記録源である前記光情報記録媒体から読み込むことにより取得する
請求項４記載の光情報記録装置。
【請求項７】
波長が４０５ｎｍの光に対して所定の吸収率を有する有機色素を記録層に用いた光情報記録媒体に、前記４０５ｎｍの波長を含む近傍範囲波長のレーザを照射することにより記録マークとスペースを形成して情報を記録する光情報記録装置において、
前記記録マークを形成するためのライトパワーを分母とし前記ライトパワーよりパワー値が低く前記スペースを形成するためのスペース形成パワーを分子とした比率を一方の座標軸とし、前記記録マーク形成時のラストパルスの直後に出力され前記スペース形成パワーよりパワー値が低いクーリングパルスのパルス幅を他方の座標軸とする直角座標の平面において、前記クーリングパルスのパルス幅の好ましい範囲と、前記比率の好ましい範囲とで得られる良好な領域を、当該良好な領域が予め記録された記録源から取得する取得手段と、
前記ライトパワーの値と、前記比率の範囲に含まれる比率の値とを、前記光情報記録媒体のテスト記録領域に複数のテスト記録をした結果に基づき最適化する手段と、
前記ライトパワーの最適値と、当該ライトパワーの最適値と前記比率の最適値とから得られる前記スペース形成パワーの値と、前記クーリングパルスのパルス幅の値とを設定する設定手段と、
前記設定手段に従って、前記光情報記録媒体に情報を記録する手段と、
を有する光情報記録装置。
【請求項８】
前記良好な領域は、二倍速で記録する場合に、
前記直角座標の平面において、前記比率と前記クーリングパルスのパルス幅との値が（０．２，１．９３７５Ｔ）、（０．２，１．５Ｔ）、（０．３，１．１２５Ｔ）および（０．３，０．８７５Ｔ）（但しＴは、基準クロックの周期を表す）である各点間を直線で結んだ範囲である
請求項７記載の光情報記録装置。
【請求項９】
前記良好な領域の取得手段は、前記光情報記録装置の記録源であるメモリまたは記録源である前記光情報記録媒体から読み込むことにより取得する
請求項７記載の光情報記録装置。
【請求項１０】
波長が４０５ｎｍの光に対して所定の吸収率を有する有機色素を記録層に用いた光情報記録媒体に、前記４０５ｎｍの波長を含む近傍範囲波長のレーザを照射することにより記録マークとスペースを形成して情報を記録する光情報記録装置において、
前記記録マークを形成するためのライトパワーを分母とし前記ライトパワーよりパワー値が低く前記スペースを形成するためのスペース形成パワーを分子とした比率を一方の座標軸とし、前記記録マーク形成時のラストパルスの直後に出力され前記スペース形成パワーよりパワー値が低いクーリングパルスのパルス幅を他方の座標軸とする直角座標の平面において、前記比率の好ましい範囲と、前記クーリングパルスのパルス幅の好ましい範囲とで得られる良好な領域を、当該良好な領域が予め記録された記録源から取得する取得手段と、
前記ライトパワーの値と、前記比率の値と、前記比率に対応する前記クーリングパルスのパルス幅の値とを、前記光情報記録媒体のテスト記録領域に複数個所のテスト記録の結果に基づき最適化する手段と、
前記ライトパワーの最適値と、当該ライトパワーの最適値および前記比率の最適値から得られる前記スペース形成パワーの値と、前記クーリングパルスのパルス幅の最適値とを設定する設定手段と、
前記設定手段に従って、前記光情報記録媒体に情報を記録する手段と、
を有する光情報記録装置。
【請求項１１】
前記良好な領域は、二倍速で記録する場合に、
前記直角座標の平面において、前記比率と前記クーリングパルスのパルス幅との値が（０．２，１．９３７５Ｔ）、（０．２，１．５Ｔ）、（０．３，１．１２５Ｔ）および（０．３，０．８７５Ｔ）（但しＴは、基準クロックの周期を表す）である各点間を直線で結んだ範囲である
請求項１０記載の光情報記録装置。
【請求項１２】
前記良好な領域の取得手段は、前記光情報記録装置の記録源であるメモリまたは記録源である前記光情報記録媒体から読み込むことにより取得する
請求項１０記載の光情報記録装置。
【請求項１３】
波長が４０５ｎｍの光に対して所定の吸収率を有する有機色素を記録層に用いた光情報記録媒体に、前記４０５ｎｍの波長を含む近傍範囲波長のレーザを照射することにより記録マークとスペースを形成して情報を記録する光情報記録方法において、
前記記録マークを形成するためのライトパワーと、前記ライトパワーよりパワー値が低く前記スペースを形成するためのスペース形成パワーと、前記記録マーク形成時のラストパルスの直後に出力され且つ前記スペース形成パワーよりパワー値が低いクーリングパルスのパルス幅とをそれぞれ設定する設定ステップと、
前記設定ステップによる設定に従って、前記光情報記録媒体に対して情報を記録するステップと、
を含み、
前記クーリングパルスのパルス幅と、前記ライトパワーを分母とし前記スペース形成パワーを分子とした比率とは、当該比率を一方の座標軸とし、前記クーリングパルスのパルス幅を他方の座標軸とする直角座標の平面において、予め測定された良好な領域から決定するものである
ことを特徴とする光情報記録方法。
【請求項１４】
前記クーリングパルスのパルス幅と、前記ライトパワーを分母とし前記スペース形成パワーを分子とした比率とは、当該比率を一方の座標軸とし、前記クーリングパルスのパルス幅を他方の座標軸とする直角座標の平面において、前記良好な領域の範囲におけるいずれか一方の座標軸の数値を固定し、前記良好な領域の範囲における他方の座標軸の複数個所のテスト記録をした結果に基づいて数値を決定するものである
請求項１３記載の光情報記録方法。
【請求項１５】
前記良好な領域は、二倍速で記録する場合に、
前記直角座標の平面において、前記比率と前記クーリングパルスのパルス幅との値が（０．２，１．９３７５Ｔ）、（０．２，１．５Ｔ）、（０．３，１．１２５Ｔ）および（０．３，０．８７５Ｔ）（但しＴは、基準クロックの周期を表す）である各点間を直線で結んだ範囲である
請求項１３または１４記載の光情報記録方法。
【請求項１６】
波長が４０５ｎｍの光に対して所定の吸収率を有する有機色素を記録層に用いた光情報記録媒体に、前記４０５ｎｍの波長を含む近傍範囲波長のレーザを照射することにより記録マークとスペースを形成して情報を記録する光情報記録方法であって、
前記記録マークを形成するためのライトパワーを分母とし前記ライトパワーよりパワー値が低く前記スペースを形成するためのスペース形成パワーを分子とした比率を一方の座標軸とし、前記記録マーク形成時のラストパルスの直後に出力され且つ前記スペース形成パワーよりパワー値が低いクーリングパルスのパルス幅を他方の座標軸とする直角座標の平面において、前記比率の好ましい範囲と前記クーリングパルスのパルス幅の好ましい範囲とに基づいて得られる良好な領域を、当該良好な領域が予め記録された記録源から取得する取得ステップと、
前記ライトパワーの値と、前記クーリングパルスのパルス幅の範囲に含まれるクーリングパルスのパルス幅の値とを、前記光情報記録媒体のテスト記録領域に複数のテスト記録の結果に基づき最適化するステップと、
前記ライトパワーの最適値と、当該ライトパワーの最適値と前記比率とから得られる前記スペース形成パワーの値と、前記クーリングパルスのパルス幅の最適値とを設定する設定ステップと、
前記設定ステップに従って、前記光情報記録媒体に情報を記録するステップと、
を含む光情報記録方法。
【請求項１７】
前記良好な領域は、二倍速で記録する場合に、
前記直角座標の平面において、前記比率と前記クーリングパルスのパルス幅との値が（０．２，１．９３７５Ｔ）、（０．２，１．５Ｔ）、（０．３，１．１２５Ｔ）および（０．３，０．８７５Ｔ）（但しＴは、基準クロックの周期を表す）である各点間を直線で結んだ範囲である
請求項１６記載の光情報記録方法。
【請求項１８】
前記取得ステップにおいて、前記良好な領域を、前記光情報記録装置の記録源であるメモリまたは記録源である前記光情報記録媒体から読み込むことにより取得する
請求項１６記載の光情報記録方法。
【請求項１９】
波長が４０５ｎｍの光に対して所定の吸収率を有する有機色素を記録層に用いた光情報記録媒体に、前記４０５ｎｍの波長を含む近傍範囲波長のレーザを照射することにより記録マークとスペースを形成して情報を記録する光情報記録方法であって、
前記記録マークを形成するためのライトパワーを分母とし前記ライトパワーよりパワー値が低く前記スペースを形成するためのスペース形成パワーを分子とした比率を一方の座標軸とし、前記記録マーク形成時のラストパルスの直後に出力され前記スペース形成パワーよりパワー値が低いクーリングパルスのパルス幅を他方の座標軸とする直角座標平面において、前記比率の好ましい範囲と前記クーリングパルスのパルス幅の好ましい範囲とに基づいて得られる良好な領域を、当該良好な領域が予め記録された記録源から取得する取得ステップと、
前記ライトパワーの値と、前記比率の範囲に含まれる比率の値とを、前記光情報記録媒体のテスト記録領域に複数個所のテスト記録をした結果に基づき最適化するステップと、
前記ライトパワーの最適値と、当該ライトパワーの最適値と前記比率の最適値とから得られる前記スペース形成パワーの値と、前記クーリングパルスのパルス幅の値とを設定する設定ステップと、
前記設定ステップによる設定に従って、前記光情報記録媒体に情報を記録するステップと、
を含む光情報記録方法。
【請求項２０】
前記良好な領域は、二倍速で記録する場合に、
前記直角座標の平面において、前記比率と前記クーリングパルスのパルス幅との値が（０．２，１．９３７５Ｔ）、（０．２，１．５Ｔ）、（０．３，１．１２５Ｔ）および（０．３，０．８７５Ｔ）（但しＴは、基準クロックの周期を表す）である各点間を直線で結んだ範囲である
請求項１９記載の光情報記録方法。
【請求項２１】
前記取得ステップにおいて、前記良好な領域を、前記光情報記録装置の記録源であるメモリまたは記録源である前記光情報記録媒体から読み込むことにより取得する
請求項１９記載の光情報記録方法。
【請求項２２】
波長が４０５ｎｍの光に対して所定の吸収率を有する有機色素を記録層に用いた光情報記録媒体に、前記４０５ｎｍの波長を含む近傍範囲波長のレーザを照射することにより記録マークとスペースを形成して情報を記録する光情報記録方法であって、
前記記録マークを形成するためのライトパワーを分母とし前記ライトパワーよりパワー値が低く前記スペースを形成するためのスペース形成パワーを分子とした比率を一方の座標軸とし、前記記録マーク形成時のラストパルスの直後に出力され且つ前記スペース形成パワーよりパワー値が低いクーリングパルスのパルス幅を他方の座標軸とする直角座標の平面において、前記比率の好ましい範囲と前記クーリングパルスのパルス幅の好ましい範囲とに基づいて得られる良好な領域を、当該良好な領域が予め記録された記録源から取得する取得ステップと、
前記ライトパワーの値と、前記比率の値と、前記比率に対応する前記クーリングパルスのパルス幅の値とを、前記光情報記録媒体のテスト記録領域に複数のテスト記録の結果に基づき最適化するステップと、
前記ライトパワーの最適値と、当該ライトパワーの最適値および前記比率の最適値から得られる前記スペース形成パワーの値と、前記クーリングパルスのパルス幅の最適値とを設定する設定ステップと、
前記設定ステップによる設定に従って、前記光情報記録媒体に情報を記録するステップと、
を含む光情報記録方法。
【請求項２３】
前記良好な領域は、二倍速で記録する場合に、
前記直角座標の平面において、前記比率と前記クーリングパルスのパルス幅との値が（０．２，１．９３７５Ｔ）、（０．２，１．５Ｔ）、（０．３，１．１２５Ｔ）および（０．３，０．８７５Ｔ）（但しＴは、基準クロックの周期を表す）である各点間を直線で結んだ範囲である
請求項２２記載の光情報記録方法。
【請求項２４】
前記取得ステップにおいて、前記良好な領域を、前記光情報記録装置の記録源であるメモリまたは記録源である前記光情報記録媒体から読み込むことにより取得する
請求項２２記載の光情報記録方法。
【請求項２５】
請求項１３ないし２４のいずれか１つ記載の光情報記録方法をプロセッサに実行させるためのプログラム。
【発明の詳細な説明】
【技術分野】
【０００１】
本発明は、波長λが４０５ｎｍに吸収スペクトルを有する有機色素を記録層に用いた光情報記録媒体に対して、４０５ｎｍの近傍範囲の波長で発振するレーザ（以下、「青紫色レーザ」と略称する。）によってデータ記録を適切に行うための技術に関する。
【背景技術】
【０００２】
追記型ＣＤ（以下、「ＣＤ−Ｒ」と略称する。）、追記型ＤＶＤ（以下、「ＤＶＤ±Ｒ」と略称する。）、追記型ＨＤ−ＤＶＤ（以下、「ＨＤ−ＤＶＤ−Ｒ」と略称する。）または追記型ブルーレイディスク（以下、「ＢＤ−Ｒ」と略称する。）等の光情報記録媒体は、光透過性ディスク状基板の一方の面上に、記録層、反射層、および必要に応じて保護層を形成した構造を有している。また、記録層や反射層が形成されている上記基板の一方の面にはグルーブと呼ばれる螺旋状または同心円状の溝が形成され、隣り合うグルーブの間はランドと呼ばれる凸部に形成されている。このような光情報記録媒体は、光情報記録再生装置により記録用レーザ光を溝に沿ってトラッキングさせながらグルーブ上の記録層に照射して、記録マークを形成することにより記録が行われる。この記録マークの長さｎＴ（基準クロックの周期をＴとし、ｎ整数倍の長さをｎＴとする）、記録マークと他の記録マークの間の部分（以下スペースという）の長さｎＴおよびこれらの配列に、再生用レーザ光を照射して反射光を再生信号に変換することにより再生が行われる。
【０００３】
これまでの有機色素を記録層に用いた追記型の光情報記録媒体であるＣＤ−Ｒ，ＤＶＤ−Ｒは、使用する有機色素の熱反応性が良好なため、スペースを形成する領域では極力パワーを出力しないパワー条件にすることで、データ記録を常に良好に保持していた。すなわち、例えば図１に示すように、２Ｔの記録マーク（以下、「Ｐ２Ｔ」と略称する。）を形成した後、スペースを形成し、さらに８Ｔの記録マーク（以下、「Ｐ８Ｔ」と略称する。）を形成する場合、スペース形成のためのパワーであるスペース形成パワーＰｓは、記録マークを形成するための記録パワーであるライトパワーＰｗのパルスの直後に出力されるクーリングパルスのパワーＰｃと同値となっている。当然ながらライトパワーＰｗに対するスペース形成パワーＰｓの比率εsは、ライトパワーＰｗに対するクーリングパルスのパワーＰｃの比率εcと同値になっている。なお、マルチパルス型のライトストラテジで記録マークＰ８Ｔを形成する際には、ライトパワーＰｗの複数のパルスを形成するが、各パルスの後にはバイアスパワーＰｂが出力される期間が設けられる。
【０００４】
ところが波長λが４０５ｎｍに吸収スペクトルを有する有機色素を記録層に用いた青紫色レーザ用の追記型光情報記録媒体であるＨＤ−ＤＶＤ−ＲやＢＤ−Ｒは、ＣＤ−Ｒ、ＤＶＤ−Ｒに使用されている有機色素より熱反応性が鈍いことが知られている。一方、ＣＤ−Ｒ、ＤＶＤ−Ｒなどへの書き込みは、図２に示すように、クーリングパルスのパルス幅ｄＴｓの後であってスペースを形成する領域に、ライトパワーＰｗよりパワーの値が低くクーリングパルスのパワーＰｃよりパワーの値が高いスペース形成パワーＰｓをかけて余熱を与え、かつクーリングパルス幅ｄＴｓを設けるライトストラテジで、マーク形成をし易くしている。
【０００５】
波長λが４０５ｎｍに吸収スペクトルを有する無機材料を記録層に用いた青紫色レーザ用の追記型光情報記録媒体であるＨＤ−ＤＶＤ−ＲやＢＤ−Ｒについての特開２００６−４８８９８号公報には、２層光記録媒体のＬ１層のように、光透過率が高い記録層に、前後の記録マークとの熱干渉や隣接するトラックの記録マークとのクロスイレーズ等が生じることなく、正確に記録マークを形成するための技術が開示されている。具体的には、光透過率の高い半透過記録膜に記録する際に、レーザビームを、記録パワーのライトパルスおよび基底パワーのクーリングパルスを含むパルス列となるようにパルス変調する。その上で、記録すべきデータを、記録層のトラックに沿った記録マークの長さに変調し、且つ、記録マークの長さを、１クロック周期をＴとしたときに、Ｔの整数倍ｎＴに対応させている。このｎＴに対応するｎＴ記録マークは、（ｎ−１）本のライトパルスにより記録し、４Ｔ以上の記録マークを記録する際には、最後尾のライトパルスの前に、パルス幅が０．８Ｔ以上２Ｔ以下のクーリングパルスを挿入するものが開示されている。しかしながら、本公報は無機材料の相変化記録に関するライトストラテジについての文献であって、この文献には、波長λが４０５ｎｍに吸収スペクトルを有する有機色素を記録層に用いた青紫色レーザ用の追記型光記録媒体について、全く述べられていない。
【特許文献１】特開２００６−４８８９８号公報
【発明の開示】
【発明が解決しようとする課題】
【０００６】
このように無機材料を記録層に用いた光情報記録媒体の熱干渉対策については開示されているが、波長λが４０５ｎｍに吸収スペクトルを有する有機色素を記録層に用いた青紫色レーザ用の追加型光情報記録媒体の熱干渉対策については、これまで文献で開示されておらず、上記公報記載の技術では、十分な記録特性を確保することが困難である。
【０００７】
すなわち、図２に示すようなライトストラテジのレーザパワー波形にて、波長λが４０５ｎｍに吸収スペクトルを有する有機色素を記録層に用いた追記型光情報記録媒体に、データ記録を行うようになると、スペース形成パワーＰｓ、クーリングパルスのパルス幅ｄＴｓが変化することでマーク記録時に熱干渉の影響が生じ、記録特性が悪化するといった問題が認識されるようになった。
【０００８】
従って本発明の目的は、波長λが４０５ｎｍに吸収スペクトルを有する有機色素を記録層に用いた青紫色レーザ用の追記型光情報記録媒体に対して良好な記録特性を確保するための新規な技術を提供することである。
【課題を解決するための手段】
【０００９】
本発明の第１の観点に係る光情報記録装置は、波長が４０５ｎｍの光に対して所定の吸収率を有する有機色素を記録層に用いた光情報記録媒体に、４０５ｎｍの波長を含む近傍範囲波長のレーザを照射することにより記録マークとスペースを形成して情報を記録する構成とするものである。そして、この光情報記録装置は、記録マークを形成するために必要なライトパワーと、ライトパワーよりパワー値が低く且つスペースを形成するためのスペース形成パワーと、記録マーク形成時のラストパルスの直後に出力され且つスペース形成パワーよりパワー値が低いクーリングパルスのパルス幅とをそれぞれ設定する設定手段と、当該設定手段に従って、光情報記録媒体に情報を記録する手段とを有する。この構成において、クーリングパルスのパルス幅と、ライトパワーを分母としスペース形成パワーを分子とした比率とは、この比率を一方の座標軸とし、クーリングパルスのパルス幅を他方の座標軸とする直角座標の平面において、予め測定された良好な領域から決定されるものである。
【００１０】
本発明の第２の観点に係る光情報記録装置は、上記第１の観点の光情報記録装置において、クーリングパルスのパルス幅と、ライトパワーを分母としスペース形成パワーを分子とした比率とは、当該比率を一方の座標軸とし、クーリングパルスのパルス幅を他方の座標軸とする直角座標の平面において、いずれか一方の座標軸の良好な領域の範囲における数値を固定し、他方の座標軸の良好な領域の範囲内で複数個所のテスト記録をした結果に基づいて数値を決定するものである。
【００１１】
有機色素を記録層に用いた光情報記録媒体へ記録するための第１および第２の観点の光情報記録装置は、クーリングパルスのパルス幅と、ライトパワーに対するスペース形成パワーの予め定められた比率とを、クーリングパルスのパルス幅を一方の座標軸とし予め定められた比率を他方の座標軸とする直角座標の平面において、「良好な領域」を形成するように適切に設定することによって、熱干渉対策が適切に実行されるようになって、良好な記録特性が確保されるようになる。
【００１２】
さらに、上記本発明の第２の観点に係る光情報記録装置において、どちらか一方だけを最適化するだけではなく、最適化された側の座標軸の数値を固定して、さらに残りの座標軸の数値を良好な領域の範囲でテスト記録をした結果に基づいて最適化の数値を決定されるようにしたものであっても良い。このようにすることにより、光情報記録媒体への書き込みがより最適化されて好ましい記録で実施することが可能になる。
【００１３】
なお、上述した良好な領域は、二倍速記録で記録する場合に、上記予め定められた比率とクーリングパルスのパルス幅とを座標軸とする直角座標の平面において、（０．２，１．９３７５Ｔ）、（０．２，１．５Ｔ）、（０．３，１．１２５Ｔ）および（０．３，０．８７５Ｔ）（但しＴは、基準クロックの周期を表す）の４点の各点間を直線で結んだ範囲である。この範囲は、各観点の発明において、二倍速記録では共通するので、以降の観点の説明を省略する。このような良好な領域よって、クーリングパルスのパルス幅と、ライトパワーに対するスペース形成パワーの予め定められた比率とが規格等で決められた要件を満たすように設定されるようになる。なお、二倍速記録以外の速度については、別の領域が適切とされる場合もある。
【００１４】
本発明の第３の観点に係る光情報記録装置について、第１の観点に係る光情報記録装置と異なるところのみを述べる。前述した直角座標の平面において、上記比率の好ましい範囲とクーリングパルスのパルス幅の好ましい範囲とに基づいて得られる良好な領域を予め記録された記録源から取得する取得手段と、ライトパワーの値と、クーリングパルスのパルス幅の範囲に含まれるパルス幅の値とを光情報記録媒体のテスト記録領域に複数のテスト記録の結果に基づき最適化する手段と、ライトパワーの最適値と、当該ライトパワーの最適値と上記比率とから得られるスペース形成パワーの値と、クーリングパルスのパルス幅の最適値とを設定する設定手段と、このような設定手段に従って、光情報記録媒体に情報を記録する手段とを有するものである。
【００１５】
このようにクーリングパルスのパルス幅は、上記平面直角座標における良好な領域の中で最適とされる値に調整することで、現在の環境に適合した適切な設定を行うことができ、良好な記録特性を確保することができるようになる。
【００１６】
さらに、上記取得手段が、記録速度に応じて、記録マークを形成するライトパワーを分母としライトパワーよりパワー値が低いスペースを形成するスペース形成パワーを分子とする比率と、クーリングパルスのパルス幅の範囲であって上記直角座標平面において上記比率と良好な領域を形成するクーリングパルスのパルス幅の範囲とを光情報記録装置の記録源であるメモリまたは記録源である光情報記録媒体から取得するようにしてもよい。光情報記録媒体に上記のようなデータを保持することによって、当該光情報記録媒体に適合した設定データを利用することができるようになる。
【００１７】
本発明の第４の観点に係る光情報記録装置について、第１の観点に係る光情報記録装置と異なるところを重点的に述べる。前述した直角座標の平面において、上記比率の好ましい範囲と前記クーリングパルスのパルス幅の好ましい範囲とに基づいて得られる良好な領域を予め記録された記録源から取得する取得手段と、ライトパワーの値と、上記比率の範囲に含まれる比率の値とを光情報記録媒体のテスト記録領域に複数のテスト記録をした結果に基づき最適化する手段と、ライトパワーの最適値と、当該ライトパワーの最適値と上記比率の最適値とから得られるスペース形成パワーの値と、クーリングパルスのパルス幅の値とを設定する設定手段と、設定手段に従って、光情報記録媒体に情報を記録する手段とを有するものである。
【００１８】
このように、ライトパワーに対するスペース形成パワーの比率については、上記平面直角座標における「良好な領域」の中で最適とされる値に調整することで、現在の環境に適合した適切な設定を行うことができ、良好な記録が確保されるようになる。
【００１９】
本発明の第５の観点に係る光情報記録装置について、第３の観点に係る光情報記録装置と異なるところを重点的に述べる。前述した直角座標の平面において、上記比率の好ましい範囲とクーリングパルスのパルス幅の好ましい範囲とに基づいて得られる良好な領域を予め記録された記録源から取得する取得手段と、ライトパワーの値と、上記比率の値と、上記比率に対応するクーリングパルスのパルス幅の値とを光情報記録媒体のテスト記録領域に複数のテスト記録の結果に基づき最適化する手段と、ライトパワーの最適値と、当該ライトパワーの最適値および上記比率の最適値から得られるスペース形成パワーの値と、クーリングパルスのパルス幅の最適値とを設定する設定手段と、設定手段に従って、光情報記録媒体に情報を記録する手段とを有するものである。
【００２０】
このように、ライトパワー、クーリングパルスのパルス幅および上記比率のそれぞれを最適化して、設定を行うようにしても良い。
【００２１】
本発明の第１の観点に係る光情報記録方法は、波長が４０５ｎｍの光に対して所定の吸収率を有する有機色素を記録層に用いた光情報記録媒体に、４０５ｎｍの波長を含む近傍範囲波長のレーザを照射することにより記録マークとスペースを形成して情報を記録する手順を踏むものである。特に、記録マークを形成するために必要なライトパワーと、ライトパワーよりパワー値が低く且つスペースを形成するために必要なスペース形成パワーと、記録マーク形成時のラストパルスの直後に出力され且つスペース形成パワーよりパワー値が低いクーリングパルスのパルス幅とをそれぞれ設定する設定ステップと、設定ステップに従って、光情報記録媒体に対して情報を記録するステップとを含む。そして、スペース形成パワーは、予め記録源から読み出されたライトパワーと比率とによって決定し、クーリングパルスのパルス幅は、ライトパワーを分母としスペース形成パワーを分子とした比率を一方の座標軸としクーリングパルスのパルス幅を他方の座標軸とする直角座標平面において、予め測定された結果から定められた良好な領域から特定された比率に基づいて決定するステップを踏むものである。
【００２２】
本発明の第２の観点に係る光情報記録方法は、前述の第１の観点に係る光情報記録方法において、クーリングパルスのパルス幅と、ライトパワーを分母としスペース形成パワーを分子とした比率とは、当該比率を一方の座標軸とし、クーリングパルスのパルス幅を他方の座標軸とする直角座標の平面において、いずれか一方の座標軸の良好な領域の範囲における数値を固定したまま、他方の座標軸の良好な領域の範囲内で複数個所のテスト記録をした結果に基づいて数値を決定するものである。
【００２３】
有機色素を記録層に用いた光情報記録媒体に記録する上述の第１あるいは第２の観点の方法では、クーリングパルスのパルス幅と、ライトパワーに対するスペース形成パワーの予め定められた比率とをクーリングパルスのパルス幅を一方の座標軸とし予め定められた比率を他方の座標軸とする直角座標平面において「良好な領域」を形成するように適切に設定するステップを有することによって、熱干渉対策が適切に実行されるようになって、良好な記録が確保されるようになる。
【００２４】
さらに、上記の第１の観点に係る光情報記録方法の場合において、どちらか一方だけの座標軸の数値を最適化するだけでなく、最適化された側の座標軸の数値を固定し、さらに残りの座標軸の数値を良好な領域の範囲内でテスト記録をした結果に基づいて数値を決定することにより、光情報記録媒体への書き込みがより最適化され、非常に好ましい記録を実施することが可能である。
【００２５】
なお、上述した良好な領域は、二倍速で記録する場合、上記予め定められた比率とクーリングパルスのパルス幅とを座標軸とする直角座標の平面において、（０．２，１．９３７５Ｔ）、（０．２，１．５Ｔ）、（０．３，１．１２５Ｔ）および（０．３，０．８７５Ｔ）（但しＴは、基準クロックの周期を表す）の４点を直線で結んだ範囲である。これによって、クーリングパルスのパルス幅と、ライトパワーに対するスペース形成パワーの予め定められた比率とが規格等で決められた要件を満たすように設定されるようになる。
【００２６】
本発明の第３の観点に係る光情報記録方法は、第１の観点に係る光情報記録方法と同様の概念を有する。この光情報記録方法は、記録マークを形成するためのライトパワーを分母としライトパワーよりパワー値が低くスペースを形成するためのスペース形成パワーを分子とする比率を一方の座標軸とし、記録マーク形成時のラストパルスの直後に出力され且つスペース形成パワーよりパワー値が低いクーリングパルスのパルス幅を他方の座標軸とする直角座標の平面において、上記比率の複数の固定値に対応するクーリングパルスのパルス幅の好ましい範囲に基づいて得られる良好な領域を予め記録させた記録源から取得する取得ステップを含むものである。さらに、ライトパワーの値と、クーリングパルスのパルス幅の範囲に含まれるパルス幅の値とを光情報記録媒体のテスト記録領域に対する複数のテスト記録の結果に基づき最適化するステップを含むものである。また、ライトパワーの最適値と、当該ライトパワーの最適値と上記比率とから得られるスペース形成パワーの値と、クーリングパルスのパルス幅の最適値とを設定する設定ステップとを含むものである。そして、この設定ステップに従って、光情報記録媒体に情報を記録するステップを含むものである。
【００２７】
上述した方法を採用することにより、クーリングパルスのパルス幅は、上記平面直角座標における良好な領域の中で最適とされる値に調整することで、現在の環境に適合した適切な設定を行うことができ、良好な記録特性を確保することができるようになる。
【００２８】
本発明の第４の観点に係る光情報記録方法は、第１の観点に係る光情報記録方法と同様の概念有する。この光情報記録方法は、記録マークを形成するためのライトパワーを分母としライトパワーよりパワー値が低くスペースを形成するためのスペース形成パワーを分子とした比率を一方の座標軸とし、記録マーク形成時のラストパルスの直後に出力され且つスペース形成パワーよりパワー値が低いクーリングパルスのパルス幅を他方の座標軸とする直角座標の平面において、クーリングパルスのパルス幅の複数の固定値に対応する上記比率の好ましい範囲に基づいて得られる良好な領域を予め記録された記録源から取得する取得ステップを含むものである。さらに、ライトパワーの値と、上記比率の範囲に含まれる比率の値とを光情報記録媒体のテスト記録領域に対するテスト記録の結果に基づき最適化するステップと、ライトパワーの最適値と、当該ライトパワーの最適値と上記比率の最適値とから得られるスペース形成パワーの値と、クーリングパルスのパルス幅の値とを設定する設定ステップを含むものである。この設定ステップに従って、光情報記録媒体に情報を記録するステップを含むものである。
【００２９】
上述したように、ライトパワーに対するスペース形成パワーの比率については、上記直角座標の平面における「良好な領域」の中で最適とされる値に調整することで、現在の環境に適合した適切な設定を行うことができ、良好な記録が確保されるようになる。
【００３０】
本発明の第５の観点に係る光情報記録方法は、第１の観点に係る光情報記録方法と同様の概念を有する。この光情報記録方法は、記録マークを形成するためのライトパワーを分母としライトパワーよりパワー値が低く且つスペースを形成するためのスペース形成パワーを分子とした比率を一方の座標軸とし、記録マーク形成時のラストパルスの直後に出力され且つスペース形成パワーよりパワー値が低いクーリングパルスのパルス幅を他方の座標軸とする直角座標の平面において、上記比率の好ましい範囲に対応するクーリングパルスのパルス幅の好ましい範囲に基づいて得られる良好な領域を予め記録された記録源から取得する取得ステップを含むものである。また、ライトパワーの値と、上記比率の値と、上記比率に対応するクーリングパルスのパルス幅の値とを光情報記録媒体のテスト記録領域に複数個所のテスト記録の結果に基づき最適化するステップを含むものである。さらに、ライトパワーの最適値と、当該ライトパワーの最適値および上記比率の最適値から得られるスペース形成パワーの値と、クーリングパルスのパルス幅の最適値とを設定する設定ステップをも含むものである。この設定ステップに従って、光情報記録媒体に情報を記録するステップを含むものである。
【００３１】
このように、ライトパワー、クーリングパルスのパルス幅および上記比率のそれぞれを最適化して、設定を行うようにしても良く、ＤＣジッタ［％］もアシンメトリ値も、規格の基準をクリアする。同時に、熱干渉量［ｎｓ］も規格等で決められた要件を満たすようになる。
【００３２】
本発明の第６の観点に係る光情報記録装置は、そのプロセッサに上記のような処理を行わせるためのプログラムとハードウエアの組み合わせにて実現される場合もあり、当該プログラムは、例えばフレキシブル・ディスク、ＣＤ−ＲＯＭなどの光ディスク、光磁気ディスク、半導体メモリ、ハードディスク等の記憶媒体または記憶装置若しくはプロセッサの不揮発性メモリに格納される。また、ネットワークを介してデジタル信号にて頒布される場合もある。なお、処理途中のデータについては、プロセッサのメモリ等の記憶装置に一時保管される。
【発明の効果】
【００３３】
本発明によれば、波長λが４０５ｎｍに吸収スペクトルを有する有機色素を記録層に用いた青紫色レーザ用の追記型光情報記録媒体に対して良好な記録特性を確保できるようになる。
【発明を実施するための最良の形態】
【００３４】
［本実施の形態の原理］
図３は、二つのｄＴｓをパラメータとした場合におけるライトパワーＰｗを横軸とし、ＤＣジッタ（Ｄａｔａ  Ｔｏ  Ｃｌｏｃｋ  Ｊｉｔｔｅｒ：デジタル信号の時間軸方向における揺れを示す。以下、ＤＣＪと略称する。）［％］を縦軸にしたグラフを表している。二つのｄＴｓの一方は白抜き四角のグラフで、最適状態のｄＴｓを表し、もう一方は黒塗り菱形のグラフで、不適切状態のｄＴｓを表す。このように、ｄＴｓを最適状態に設定すれば、ＤＣＪは、ブルーレイディスク規格（以下、規格と略称する。）で決められた７％以下を達成できるライトパワーＰｗのレンジが存在する。不適切状態のｄＴｓであると、ＤＣＪは、ライトパワーＰｗを変化させても規格で決められた７％以下を達成できない。図示していないが、スペース形成パワーＰｓについても同様の傾向がある。
【００３５】
上述したように、特許文献１では、無機材料を記録層に用いた追記型の光情報記録媒体について、クーリングパルスのパルス幅ｄＴｓを最適化する技術が開示されている。図４には、無機材料を記録層に用いたＢＤ−Ｒに対して、クーリングパルスのパルス幅ｄＴｓを１．５〔Ｔ〕に固定し、スペース形成パワーＰｓを変化させて記録させた場合における記録特性ＤＣＪ［％］および熱干渉量［ｎｓ］を示している。図４において、横軸はスペース形成パワーＰｓ〔ｍＷ〕を表し、左側の縦軸は熱干渉量［ｎｓ］を表し、右側の縦軸はＤＣＪ［％］を表し、白抜き四角がスペース形成パワーＰｓを変化させたときの熱干渉量［ｎｓ］を表し、黒塗り菱形はペース形成パワーＰｓを変化させたときのＤＣＪ［％］を表す。なお、光情報記録媒体上、ある長さのマークの後の最短スペースの後に記録されている符号長のマークの長さＡと、ある長さのマークの後の最長スペースの後に記録されている同じ符号長のマークの長さＢとを測定して、当該マークの長さＡとＢとの差をもって熱干渉量を測定した。図４に示されるように、無機材料を記録層に用いた場合には、ＤＣＪも熱干渉量も、スペース形成パワーＰｓが変化してもあまり変化しない。一方、図５に、有機材料を記録層に用いたＢＤ−Ｒに対して、クーリングパルスのパルス幅ｄＴｓを１．５〔Ｔ〕に固定し、スペース形成パワーＰｓを変化させて記録させた場合における記録特性および熱干渉量を示す。図５は図４と同様のグラフであるが、スペース形成パワーＰｓを変化させると、熱干渉量は大きく変動するようになる。そして、熱干渉量の減少に伴い、ＤＣＪの最大の基準値である７％を超えて悪化するようになる。このように、有機材料を記録層に用いた追記型の光情報記録媒体では、熱干渉の影響を受け、記録特性ＤＣＪ［％］の悪化が生じることが分かる。そのため、有機材料を記録層に用いた追記型の光情報記録媒体では、クーリングパルスのパルス幅ｄＴｓだけでなく、スペース形成パワーＰｓも各媒体に合わせて最適化する必要があるということが判明した。
【００３６】
より具体的には、クーリングパルスのパルス幅ｄＴｓを長くした場合、ライトパワーＰｗを分母とし、これに対するスペース形成パワーＰｓを分子とする比率εs（Ｐｓ／Ｐｗ：以下、「比率εsまたはεs」という。）を下げることで熱干渉の影響をなくし、記録特性を良好にすることが出来る。但し、ライトパワーＰｗに対するスペース形成パワーＰｓの比率εsを下げすぎるとマーク形成のための余熱が足りなくなり、アシンメトリ値が規格値に未達となるため、上記比率εsに下限値およびクーリングパルスのパルス幅ｄＴｓの上限値が設定される。
【００３７】
また、上記比率εsが高くなりすぎると、スペース形成パワーＰｓが高くなりすぎ有機色素が反応してしまい、記録特性ＤＣＪ［％］が悪化するため、上記比率εsに上限値が設定される。さらに、クーリングパルスのパルス幅ｄＴｓが短すぎると記録マークの後端部がシャープに記録されず、記録特性ＤＣＪ［％］が悪化を招くため、クーリングパルスのパルス幅ｄＴｓに下限値が設定される。本願の発明者らは、上述したように有機材料を記録層に用いた追記型の光情報記録媒体の記録において、以下のことを見出した。すなわち、記録速度を固定したときに、比率εsは、好ましい範囲となる上限値と下限値があること、クーリングパルスのパルス幅ｄＴｓにも、好ましい範囲となる上限値と下限値があること、比率εsとライトパワーＰｗとの関係からスペース形成パワーＰｓにも、好ましい範囲となる上限値と下限値があることである。
【００３８】
なお、本発明の実施の形態では、図６に示すように、トップパルス、中間パルス、ラストパルスおよびクーリングパルス、スペース形成パルスから構成されるいわゆるマルチパルスタイプのライトストラテジで、光情報記録媒体に記録される。このようなライトストラテジでは、上記トップパルス、中間パルス、ラストパルスではライトパワーＰｗ、クーリングパルスではクーリングパワーＰｃ、スペース形成パルスではスペース形成パワーＰｓをそれぞれ制御して光源から出射することが重要になる。上記パルス以外ではバイアスパワーＰｂを制御して光源から出射するよう変調されたレーザ光にて記録マークを形成するデータ記録方法を用いる。
【００３９】
以下、具体的に、εsとクーリングパルスのパルス幅ｄＴｓとをどのように設定すべきかについて説明する。図７に、εsを０．２４に固定し、クーリングパルス幅ｄＴｓを１．７５［Ｔ］、１．６２５［Ｔ］、１．５［Ｔ］、１．１２５［Ｔ］と変化させた場合の記録特性を示す。すなわち、縦軸はＤＣＪ［％］を表し、横軸はライトパワーＰｗ〔ｍＷ〕を表す。規格ではＤＣジッタは７％以下という要件があるので、この要件に従えば、ｄＴｓを１．７５［Ｔ］およびｄＴｓを１．１２５［Ｔ］にて、ＤＣＪ７％を常に超える状態となる。これは、波長λが４０５ｎｍに吸収スペクトルを有する有機色素を記録層に用いた高密度の追記型光情報記録媒体の場合、クーリングパルスＰｃのパルス幅ｄＴｓが長すぎると、例えば、ｄＴｓを１．７５［Ｔ］以上に形成するマーク長によって熱干渉の影響が異なり、記録特性が悪化する。また、クーリングパルスＰｃのパルス幅ｄＴｓが短すぎると、例えば、ｄＴｓを１．１２５［Ｔ］以下にすると、記録マークの後端部がシャープに記録されず、記録特性が悪化するようになる。結果として、εsが０．２４のとき、ｄＴｓは、１．５［Ｔ］ないし１．６２５［Ｔ］が良好に記録可能な範囲となる。
【００４０】
同様にしてεsを０．１８から０．０２刻みで０．３２までのそれぞれの値を固定して、記録特性の上記要件を満足するεsとｄＴｓの関係の測定した結果を図８に示す。なお、図８は、二倍速記録２Ｘの場合の数値を示している。記録特性の上記要件を満たすためには、εsが０．２０の場合、ｄＴｓは１．５ないし１．９３２５［Ｔ］である必要がある。εsが０．２２の場合、ｄＴｓは１．３７５ないし１．７５［Ｔ］である必要がある。εsが０．２４の場合、ｄＴｓは１．２５ないし１．６２５［Ｔ］である必要がある。εsが０．２６の場合には、ｄＴｓは１．１２５ないし１．５［Ｔ］である必要がある。εsが０．２８の場合、ｄＴｓは１．０ないし１．３１２５［Ｔ］である必要がある。εsが０．３０の場合には、ｄＴｓは０．８７５ないし１．１２５［Ｔ］である必要であることがわかった。
【００４１】
なお、εsが０．１８とεsが０．３２の場合、記録特性は上記要件を満たすような値は存在しないことを確認した。例えば図９に示すように、εsを０．３２に固定し、ｄＴｓが１．２５ないし０．８７５［Ｔ］でクーリングパルスのパルス幅を変化させた場合、ライトパワーＰｗを調整しても、規格で定められているＤＣＪが７％以下という要件を満たすことができないことが分かる。このように、εsが０．３２と高い場合、スペース形成パワーＰｓが高くなりすぎ有機色素が反応してしまい、記録特性が悪化する。以上の理由から、εsは記録速度が２Ｘのとき、０．３０に上限値が設定される。
【００４２】
一方、例えば図１０に示すように、εsを０．１８に固定し、ｄＴｓ＝１．５ないし２．０［Ｔ］でクーリングパルスＰｃのパルス幅ｄＴｓを変化させた場合、ライトパワーＰｗを調整すれば、εsが０．１８と低い場合、熱干渉量を抑制可能であるため、ＤＣＪの値は規格を満足する状態が存在する。しかし、図１１に示すように、規格に規定された他の要件であるアシンメトリ値が０．１５以下という要件を満たせなくなってしまう。図１１は、横軸はεsを表し、縦軸はアシンメトリ値を表す。すなわち、εsが約０．２より大きくないと、アシンメトリ値が０．１５を超えてしまう。これは、εsを低くすることでスペース形成パワーＰｓが低下し、マークを形成するための余熱が十分に伝わらないため、最短マーク長が記録されにくくなりアシンメトリ値がプラスになり上記要件を満足しなくなるためである。
【００４３】
よって、波長λが４０５ｎｍに吸収スペクトルを有する有機色素を記録層に用いた追記型の光情報記録媒体の熱特性を考慮すると、ｄＴｓおよび比率εsが図１２に示す関係を有する場合に、規格を満たす記録特性が可能となる。図１２は、縦軸はｄＴｓ［Ｔ］を表し、横軸はεsを表している。具体的には、ｄＴｓとεsを座標軸とする直角座標平面において、（εs，ｄＴｓ）は、（０．２，１．９３７５）、（０．２，１．５）、（０．３，１．１２５）、（０．３，０．８７５）で囲まれる領域内であれば、良好な記録特性が可能となる。なお、図１２に示すように、（εs，ｄＴｓ）が（０．２，１．９３７５）と（（０．３，１．１２５）とを結ぶ直線は、ＤＣＪ特性が規格未達となる境界を表している。（εs，ｄＴｓ）が（０．３，１．１２５）と（０．３，０．８７５）とを結ぶ直線は、ＤＣＪ特性が規格未達となる境界を表している。また、（εs，ｄＴｓ）が（０．２，１．５）と（０．３，０．８７５）とを結ぶ直線はＤＣＪ特性が規格未達となる境界を表している。さらに、（εs，ｄＴｓ）が（０．２，１．９３７５）と（０．２，１．５）とを結ぶ直線はアシンメトリ特性が規格未達となる境界を表している。ようするに、線上であれば規格の範囲内であるが、線上の外側は、規格を満足しない範囲を含むようになる。
【００４４】
なお、図８では、εsを基準に、クーリングパルスＰｃのパルス幅ｄＴｓの範囲を規定するテーブルを示したが、図１３に、クーリングパルスＰｃのパルス幅ｄＴｓを基準に、εsの範囲を規定するテーブルを示す。図１３のテーブルも、二倍速記録２Ｘの場合のテーブルである。この場合、ｄＴｓが１．９３２５であれば、εsは０．２０である必要がある。ｄＴｓが１．７５であれば、εsは０．２０ないし０．２２である必要がある。ｄＴｓが１．６２５であれば、εsは０．２０ないし０．２４である必要がある。ｄＴｓが１．５であれば、εsは０．２０ないし０．２６である必要がある。ｄＴｓが１．３７５であれば、εsは０．２２ないし０．２６である必要がある。ｄＴｓが１．２５であれば、εsは０．２４ないし０．２８である必要がある。ｄＴｓが１．１２５であれば、εsは０．２６ないし０．３０である必要がある。
【００４５】
前述された内容から、一方の座標軸は、記録マークを形成するライトパワーＰｗを分母とし、このライトパワーＰｗよりパワー値が低いスペース形成パワーＰｓを分子とする比率εsとする。他方の座標軸は、記録マーク形成時のラストパルの直後に出力するクーリングパワーＰｃ（スペース形成パワーＰｓよりパワー値が低い）のパルス幅ｄＴｓとする。このような直角座標平面において、予め測定された結果から良好な領域を特定しておくことにより、所定の範囲内の比率εsが決まれば、クーリングパワーＰｃのパルス幅ｄＴｓの範囲が決まるので、光情報記録媒体のパワーキャリブレーションエリア（以下、ＰＣＡ領域という。）にパルス幅ｄＴｓを範囲内でいくつかの試し書きをすることによって、最適値を選択することができる。好ましい範囲内のパルス幅ｄＴｓが決定された場合も、同様に、比率εsを平面直角座標の良好な範囲内で、いくつかの試し書きをすることによって、最適値を選択することができる。また、比率εsが明確にされているので、ライトパワーＰｗかクーリングパワーＰｃのどちらかと、クーリングパワーＰｃのパルス幅ｄＴｓが決定されれば、ＢＤ−Ｒなどの光情報記録媒体に最適な記録をすることが可能になる。この原理を適用することにより、ＢＤ−Ｒなどの光情報記録媒体に最適な記録をする光情報記録装置およびその方法を提供可能である。
【００４６】
［実施の形態］
本発明の実施の形態におけるドライブ・システムの機能ブロックを図１４を用いて説明する。本発明の実施の形態に係るドライブ・システムは、光情報記録再生装置１００と、表示部とリモートコントローラなどの操作部とを含む入出力システム（図示せず）とを含む。
【００４７】
光情報記録再生装置１００は、処理途中のデータ、処理結果のデータ、処理における参照データなどを格納するメモリ１２７と、以下で説明する処理を行わせるためのプログラムが記録されるメモリ回路１２６を含むＣＰＵ（中央演算装置：Central Processing Unit）などから構成される制御回路１２５と、入出力システムとのインターフェースであるインターフェース部（以下、Ｉ／Ｆと略称する。）１２８と、再生信号であるＲＦ信号の最大振幅レベルまたは最小振幅レベル等を検出する特性値検出部１２４と、再生信号であるＲＦ信号から２Ｔないし８Ｔ符号（例えば規格の場合、同期符号の９Ｔも識別する。また、ＨＤ−ＤＶＤ規格の場合、２Ｔないし１１Ｔ符号と同期符号の１３Ｔを識別する）など読み出された符号を復号するための処理などを行う等化器１３１およびデータ復調回路１２３と、ピックアップ部１１０と、制御回路１２５から出力される記録すべきデータに対して所定の変調を行い、レーザ・ダイオード（以下、「ＬＤ」と略称する。）ドライバ１２１に出力するデータ変調回路１２９と、ＬＤドライバ１２１と、波長λが４０５ｎｍに吸収スペクトルを有する有機色素を記録層に用いた青紫色レーザ用の光情報記録媒体１５０の回転制御部およびモータ並びにピックアップ部１１０用のサーボ制御回路１３２等を含む。
【００４８】
メモリ１２７には、本実施の形態の原理で述べたような条件を満たすクーリングパルスＰｃのパルス幅ｄＴｓおよびライトパワーＰｗに対するスペース形成パワーＰｓの比率εsの組み合わせのデータ、すなわち、良好な領域が格納される。具体的には、図８のようなテーブルや図１３のようなテーブルを良好な領域として、記録速度毎およびメディアＩＤ毎にそのまま格納するようにしても良い。なお、そのうち初期値として用いる値についても特定されているものとする。また、図８のようなテーブルや図１３のようなテーブルのうちの特に使用される部分のみを格納するようにしても良い。さらに、上記のような組み合わせを、記録速度毎およびメディアＩＤ毎に１セットだけ格納して、それをそのまま用いるようにしても良い。このように格納された各データは、記録源として記録するときに読み出されて有効に使用される。
【００４９】
また、ピックアップ部１１０は、対物レンズ１１４と、ビームスプリッタ１１６と、検出レンズ１１５と、コリメートレンズ１１３と、ＬＤ１１１と、フォトディテクタ（以下、「ＰＤ」と略称する。）１１２とを含む。ピックアップ部１１０では、図示しないサーボ制御部の制御に応じて図示しないアクチュエータが動作し、フォーカスおよびトラッキングが行われる。
【００５０】
制御回路１２５は、メモリ１２７、特性値検出部１２４、データ復調回路１２３、Ｉ／Ｆ１２８、ＬＤドライバ１２１、データ変調回路１２９、サーボ制御回路１３２、図示しない回転制御部などに接続されている。また、特性値検出部１２４は、ＰＤ１１２、制御回路１２５などに接続されている。ＬＤドライバ１２１は、データ変調回路１２９、制御回路１２５およびＬＤ１１１に接続されている。制御回路１２５は、Ｉ／Ｆ１２８を介して入出力システムにも接続されている。
【００５１】
次に、光情報記録媒体１５０に対してデータを記録する場合における処理の概要を説明する。まず、制御回路１２５は、データ変調回路１２９に、光情報記録媒体１５０に記録すべきデータに対して所定の変調処理を実施させる。その上で、データ変調回路１２９は変調処理後のデータをＬＤドライバ１２１に出力する。ＬＤドライバ１２１は、指定の記録条件であるライトストラテジおよびパラメータに従って、受信したデータでＬＤ１１１を駆動してレーザ光を出力させる。レーザ光は、コリメートレンズ１１３、ビームスプリッタ１１６、対物レンズ１１４を介して光情報記録媒体１５０に照射され、光情報記録媒体１５０にマークとスペースを形成する。
【００５２】
また、光情報記録媒体１５０に記録されたデータを再生する場合における処理の概要を説明する。制御回路１２５からの指示に従ってＬＤドライバ１２１は、ＬＤ１１１を駆動してレーザ光を出力させる。レーザ光は、コリメートレンズ１１３、ビームスプリッタ１１６、対物レンズ１１４を介して光情報記録媒体１５０に照射される。光情報記録媒体１５０からの反射光は、対物レンズ１１４、ビームスプリッタ１１６、検出レンズ１１５を介してＰＤ１１２に入力される。ＰＤ１１２は、光情報記録媒体１５０からの反射光を電気信号に変換し、特性値検出部１２４等に出力する。等化器１３１およびデータ復調回路１２３等は、出力された再生信号に対して所定の復号処理を行い、復号されたデータを制御回路１２５およびＩ／Ｆ１２８を介して、入出力システムの表示部に出力して、再生データを表示させる。特性値検出部１２４は、通常の再生では用いられない。
【００５３】
次に、図１５を用いて、光情報記録媒体１５０にデータを記録する場合の前処理を説明する。まず、制御回路１２５は、光情報記録媒体１５０に記録されているメディアＩＤをＰＤ１１２、等化器１３１およびデータ復調回路１２３を介して再生することによって読み出す（ステップＳ１）。また、制御回路１２５は、例えばユーザからの記録速度の指示をＩ／Ｆ１２８を介して受け付け、当該記録速度を特定する（ステップＳ３）。なお、この記録速度の特定は他の方法、例えば予め設定されている記録速度を特定するようにしてもよい。そして、制御回路１２５は、読み出されたメディアＩＤおよび特定された記録速度に対応する各種ライトストラテジデータ等を、メモリ１２７の記録源等から読み出し、初期設定としてＬＤドライバ１２１に設定する（ステップＳ５）。各種ストラテジデータには、本実施の形態の原理の欄で述べたような関係で設定される。ライトパワーＰｗに対するスペース形成パワーＰｓの比率εsの値およびクーリングパルスＰｃのパルス幅ｄＴｓの値、すなわち図８のようなテーブルや図１３のようなテーブルも含まれる。ここまでのステップは基本なのでほぼ共通しているが、設定後の処理対応でいくつかの方法があるので、図１５乃至図１７に基づいてその態様を以下に説明する。
【００５４】
ここでは、制御回路１２５は、ステップＳ５の初期設定に基づき、ライトパワーＰｗ、ライトパワーＰｗに対するスペース形成パワーＰｓの比率εsを読み出した値に固定する。固定された比率εsに基づき、図８もしくは図１２に示された範囲内においてクーリングパルスのパルス幅ｄＴｓを規則的な幅で変化させクーリングパルスのパルス幅ｄＴｓの最適化処理を実施する（ステップＳ７）。例えば、読み出したεsが０．２４の場合、図８と同様のテーブルよりクーリングパルスのパルス幅ｄＴｓは１．２５［Ｔ]から１．６２５[Ｔ]が範囲となる。パルス幅はＬＳＩの分解能によって異なる。この場合、分解能が０．０６２５[Ｔ]の場合、１．２５Ｔ、１．３１２５Ｔ、１．３７５Ｔ、１．４３７５Ｔ、１．５Ｔ、１．５６２５Ｔ、１．６２５Ｔの7条件を変化させることとなる。このように変化させた中で最も良い特性のｄＴｓを選択する。これらの最適化処理は、周知の最適記録パワー制御（Optimum Power Control：以下、ＯＰＣと略称する。）によって求める。すなわち、光情報記録媒体１５０のテスト記録領域に、予め決められたライトパワーＰｗ、固定された比率εsに基づくクーリングパルスＰｃ、上記の変化させたパルス幅ｄＴｓのライトストラテジで、その都度テスト記録を実施し、各々のケースにつき例えばアシンメトリ値やβ値を算出して、アシンメトリ値やβ値が最も良い値となるケースを最適値として採用する。このとき、特性値検出部１２４は、アシンメトリ値やβ値を計算するために必要な特性値を検出する。このようにして、クーリングパルスのパルス幅ｄＴｓの最適値を決定するステップＳ７の処理を終了する。続いて、固定された比率εsと最適化されたクーリングパルスのパルス幅ｄＴｓとを基に、ライトパワーＰｗの最適値も周知の処理（ＯＰＣ）によって求める（ステップＳ９）。
【００５５】
そして、制御回路１２５は、最適化されたライトパワーＰｗと、このライトパワーＰｗに対するスペース形成パワーＰｓの比率εsで決定されるスペース形成パワーＰｓと、最適化されたクーリングパルスのパルス幅ｄＴｓとをＬＤドライバ１２１に設定し、この設定に従って、データ記録を実施する（ステップＳ１１）。
【００５６】
つぎに、図１５と異なる図１６の態様について、ステップＳ１乃至Ｓ５は同じであるからステップＳ７以下の説明をする。この場合も、制御回路１２５は、ステップＳ５の初期設定に基づき、ライトパワーＰｗ、クーリングパルスのパルス幅ｄＴｓを読み出した値に固定する。固定されたパルス幅ｄＴｓに基づき、図１３もしくは図１２に示された範囲内においてライトパワーＰｗに対するスペース形成パワーの比率εsを規則的な幅で変化させ比率εsの最適化処理を実施する（ステップＳ１７）。例えば、読み出したdTsが１．３７５［Ｔ］の場合、図１３よりスペース形成パワーの比率εsは０．２２から０．２６が範囲となる。比率はＬＳＩの分解能力によって異なるが、この場合、分解能力が０．０１であり、０．２２、０．２３、０．２４、０．２５、０．２６の５条件を変化させて、実施した。この最適化処理は、周知の処理（ＯＰＣ）によって求める。すなわち、光情報記録媒体１５０のテスト記録領域に、予め決められたライトパワーＰｗ、クーリングパルスＰｃのパルス幅ｄＴｓ、上記の変化させたライトパワーＰｗに対するスペース形成パワーの比率εsのライトストラテジで、その都度テスト記録を実施し、各々のケースにつき例えばアシンメトリ値やβ値を算出して、アシンメトリ値やβ値が最も良い値となるケースを最適値として採用する。このとき、特性値検出部１２４は、アシンメトリ値やβ値を計算するために必要な特性値を検出する。このようにして、比率εsの最適値を決定するステップＳ１７の処理を終了する。続いて、固定されたクーリングパルスのパルス幅ｄＴｓと最適化された比率εsとを基に、ライトパワーＰｗの最適値も周知の処理（ＯＰＣ）によって求める（ステップＳ１９）。
【００５７】
そして、制御回路１２５は、最適化されたライトパワーＰｗと、このライトパワーＰｗに対するスペース形成パワーＰｓの最適化された比率εsで決定されるスペース形成パワーＰｓと、クーリングパルスのパルス幅ｄＴｓとをＬＤドライバ１２１に設定し、この設定に従ったライトストラテジで、データ記録を実施する（ステップＳ２１）。
【００５８】
続いて、図１７の態様について、ステップＳ１乃至Ｓ５は同じであるからステップＳ７以下の説明をする。この場合も、制御回路１２５は、ステップＳ５の初期設定に基づき、ライトパワーＰｗ、ライトパワーＰｗに対するスペース形成パワーＰｓの比率εsを読み出した値に固定する。固定された比率εsに基づき、図８もしくは図１２に示された範囲内においてクーリングパルスのパルス幅ｄＴｓを規則的な幅で変化させクーリングパルスのパルス幅ｄＴｓの最適化処理を実施する（ステップＳ２７）。例えば、読み出したεsが０．２４の場合、図８よりクーリングパルスのパルス幅ｄＴｓは１．２５[Ｔ]から１．６２５[Ｔ]が範囲となる。パルス幅はＬＳＩの分解能力によって異なる。この場合、分解能力が０．０６２５[Ｔ]であり、１．２５Ｔ、１．３１２５Ｔ、１．３７５Ｔ、１．４３７５Ｔ、１．５Ｔ、１．５６２５Ｔ、１．６２５Ｔの７条件を変化させてテスト記録した。これらの最適化処理は、周知の処理（ＯＰＣ）によって求めることはステップＳ９の場合と同様なので、その説明を省略する。いずれにしてもステップＳ９の場合と同様の処理において、クーリングパルスのパルス幅ｄＴｓの最適値を決定するステップＳ２７の処理を終了する。
【００５９】
つづいて、最適化されたパルス幅ｄＴｓに基づき、図１２もしくは図１３に示された範囲内においてライトパワーＰｗに対するスペース形成パワーの比率εsを規則的な幅で変化させ比率εsの最適化処理を実施する（ステップＳ２９）。例えば、ステップＳ２７で最適化処理で導き出されたｄＴｓが１．３７５［Ｔ］の場合、図１３よりスペース形成パワーの比率εsは０．２２から０．２６が範囲となる。比率はＬＳＩの分解能力によって異なる。この場合、分解能力が０．０１として、０．２２、０．２３、０．２４、０．２５、０．２６の５条件を変化させて、テスト記録する。これらの最適化処理は、周知の処理（ＯＰＣ）によって求める。なお、光情報記録媒体１５０のテスト記録領域に、その都度テスト記録を実施し、アシンメトリ値やβ値が最も良い値となるケースを最適値として採用する方法は上述と同様なので説明を省略する。このようにして、比率εsの最適値を決定するステップＳ２９の処理を終了する。続いて、最適化されたクーリングパルスのパルス幅ｄＴｓと最適化された比率εsとを基に、ライトパワーＰｗの最適値も周知の処理（ＯＰＣ）によって求める（ステップＳ３０）。
【００６０】
そして、制御回路１２５は、最適化されたライトパワーＰｗと、このライトパワーＰｗに対するスペース形成パワーＰｓの最適化された比率εsで決定されるスペース形成パワーＰｓと、クーリングパルスの最適化されたパルス幅ｄＴｓと、をＬＤドライバ１２１に設定し、この設定に従ったライトストラテジで、データ記録を実施する（ステップＳ３１）。
【００６１】
以上のような処理を行うことにより、図８、図１３もしくは図１２に示されている関係を有するなかで、比率εsの最適値から決定されるスペース形成パワーＰｓおよびクーリングパルスのパルス幅ｄＴｓの最適値が設定されて、良好な記録する環境を整えることができるようになる。
【００６２】
また、メモリ１２７に、図８、図１３または図１２に示されている関係を有するライトパワーＰｗに対するスペース形成パワーＰｓの比率εsおよびクーリングパルスのパルス幅ｄＴｓの組み合わせが１組だけ格納されている場合には、図１８に示すような処理を実施する。
【００６３】
まず、制御回路１２５は、光情報記録媒体１５０に記録されているメディアＩＤをＰＤ１１２、等化器１３１およびデータ復調回路１２３を介して再生することによって読み出す（ステップＳ１）。また、制御回路１２５は、例えばユーザからの記録速度の指示をＩ／Ｆ１２８を介して受け付け、当該記録速度を特定する（ステップＳ３）。そして、制御回路１２５は、読み出されたメディアＩＤおよび特定された記録速度に対応する各種ストラテジデータ等を、メモリ１２７等から読み出し、ＬＤドライバ１２１に設定する（ステップＳ５）。ここで、図８、図１３若しくは図１２に示される関係を有するライトパワーＰｗに対するスペース形成パワーＰｓの比率εsおよびクーリングパルスのパルス幅ｄＴｓの１組の組み合わせも、このステップで読み出され、ライトパワーＰｗと共に、当該Ｐｗとεsとから算出されるＰｓおよびクーリングパルスのパルス幅ｄＴｓが設定される。
【００６４】
そして、ライトパワーＰｗを最適化する周知の処理（ＯＰＣ）を実施する（ステップＳ３７）。なお、この際特性値検出部１２４は、アシンメトリ値またはβ値を算出するための特性値を検出し、制御回路１２５に出力する。制御回路１２５では、アシンメトリ値またはβ値を算出して、最適なライトパワーＰｗを算出する。
【００６５】
その後、制御回路１２５は、ステップＳ３７で算出された最適なライトパワーＰｗ等をＬＤドライバ１２１に設定し、データ記録を実施する（ステップＳ４１）。εsとライトパワーＰｗの最適値から算出されるスペース形成パワーＰｓも設定される。
【００６６】
このような処理を実施することによって、本実施の形態の原理の欄で述べたような効果を得ることができるようになる。
【００６７】
なお、本実施の形態の原理の欄で述べたような所定の関係（図８、図１３、若しくは図１２）を有するεsおよびｄＴｓの設定値は、メモリ１２７に格納される場合もあれば、未記録の光情報記録媒体１５０のＢＣＡ（Burst Cutting Area）に格納されている場合もある。光情報記録媒体１５０に保持させる場合には、図１９に示すようなＬｅａｄ−ｉｎ領域の中に保持しておく。Ｌｅａｄ−ｉｎ領域は、システムＬｅａｄ−ｉｎ領域と、コネクション領域と、データＬｅａｄ−ｉｎ領域とに大きく分かれており、システムＬｅａｄ−ｉｎ領域は、イニシャル・ゾーン、バッファ・ゾーン、コントロールデータ・ゾーン、バッファ・ゾーンを含む。また、コネクション領域は、コネクション・ゾーンを含む。さらに、データＬｅａｄ−ｉｎ領域は、ガードトラック・ゾーン、ディスクテスト・ゾーン、ドライブテスト・ゾーン、ガードトラック・ゾーン、ＲＭＤデュープリケーション・ゾーン、レコーディングマネジメント・ゾーン、Ｒ−フィジカルフォーマットインフォメーション・ゾーン、リファレンスコード・ゾーンを含む。本実施の形態では、システムＬｅａｄ−ｉｎ領域のコントロールデータ・ゾーンに、レコーディングコンディションデータ・ゾーン１７０を含むようにする。例えば、レコーディングコンディションデータ・ゾーン１７０に、本発明の原理の欄で述べたような所定の関係を有するεsおよびｄＴｓなどを保持しておき、この領域から読み出して用いるようにしても良い。
【００６８】
以上本発明の実施の形態を説明したが、本発明はこれに限定されるものではない。例えば、図１４の機能ブロック図は、実施の形態を説明するために示したもので、必ずしも実際の回路やモジュール構成と一致しない場合もある。また、処理フローについても処理結果が同じであれば処理順番を入れ替えたり、並列に実行するようにしても良い。
【００６９】
さらに、上ではマルチパルス型のライトストラテジを採用する例を示したが、図２０に示されているように、トップパルス、中間パルス、ラストパルスおよびクーリングパルス、スペース形成パルスから構成される、いわゆるキャッスルパルスタイプのライトストラテジで、上記トップパルスおよびラストパルスではライトパワーＰｗ、中間パルスでは中間パワーＰｍ、クーリングパルスではクーリングパワーＰｃ、スペース形成パルスではスペース形成パワーＰｓをそれぞれ出射するよう変調されたレーザ光にて記録マークを形成するデータ記録方法を用いても良い。
【図面の簡単な説明】
【００７０】
【図１】従来のライトストラテジの一例を示す図である。
【図２】高密度の光情報記録媒体に対するライトストラテジの一例を示す図である。
【図３】ｄＴｓを変化させた場合におけるライトパワーＰｗとＤＣＪの関係を示す図である。
【図４】無機材料を記録層に用いた光情報記録媒体の場合におけるスペース形成パワーＰｓと熱干渉量またはＤＣＪの関係を表す図である。
【図５】波長λが４０５ｎｍに吸収スペクトルを有する有機材料を記録層に用いた青紫色レーザ用の光情報記録媒体の場合におけるスペース形成パワーＰｓと熱干渉量またはＤＣＪの関係を表す図である。
【図６】マルチパルス型のライトストラテジの一例を示す図である。
【図７】εs＝０．２４を固定してｄＴｓを変動させた場合における、ライトパワーＰｗとＤＣＪの関係を表す図である。
【図８】εsをベースにしたｄＴｓの範囲を示す図である。
【図９】εs＝０．３２を固定してｄＴｓを変動させた場合における、ライトパワーＰｗとＤＣＪの関係を表す図である。
【図１０】εs＝０．１８を固定してｄＴｓを変動させた場合における、ライトパワーＰｗとＤＣＪの関係を表す図である。
【図１１】εsとアシンメトリ値の関係を表す図である。
【図１２】良好な記録特性を得るためのεsとｄＴｓの関係を表す図である。
【図１３】ｄＴｓをベースにしたεsの範囲を示す図である。
【図１４】本発明の実施の形態における機能ブロック図である。
【図１５】本発明の実施の形態における第１の処理フローを示す図である。
【図１６】本発明の実施の形態における第２の処理フローを示す図である。
【図１７】本発明の実施の形態における第３の処理フローを示す図である。
【図１８】本発明の実施の形態における第４の処理フローを示す図である。
【図１９】光情報記録媒体に格納されるデータ構造を示す図である。
【図２０】キャッスル型のライトストラテジの一例を示す図である。
【符号の説明】
【００７１】
１００  光情報記録再生装置
１１０  ピックアップ部    １１１  ＬＤ  
１１２  ＰＤ    １１３  コリメートレンズ
１１４  対物レンズ    １１５  検出レンズ
１１６  ビームスプリッタ    １２１  ＬＤドライバ
１２３  データ復調回路    １２４  特性値検出部
１２５  制御回路    １２６  メモリ回路
１２７  メモリ    １２８  Ｉ／Ｆ    １２９  データ変調回路
１３１  等化器    １３２  サーボ制御回路
１５０  光情報記録媒体
【図１】
0005336155.tif 000002
【図２】
0005336155.tif 000003
【図３】
0005336155.tif 000004
【図４】
0005336155.tif 000005
【図５】
0005336155.tif 000006
【図６】
0005336155.tif 000007
【図７】
0005336155.tif 000008
【図８】
0005336155.tif 000009
【図９】
0005336155.tif 000010
【図１０】
0005336155.tif 000011
【図１１】
0005336155.tif 000012
【図１２】
0005336155.tif 000013
【図１３】
0005336155.tif 000014
【図１４】
0005336155.tif 000015
【図１５】
0005336155.tif 000016
【図１６】
0005336155.tif 000017
【図１７】
0005336155.tif 000018
【図１８】
0005336155.tif 000019
【図１９】
0005336155.tif 000020
【図２０】
0005336155.tif 000021